(57)【特許請求の範囲】
【請求項１】
コンクリート供試体のサイズよりも幾分大きいサイズで、コンクリート供試体をスッポリと収まらせるコンクリート供試体の養生容器であって、
コンクリート供試体の上部側を上方突出状態にさせて収容するカップ状の容器本体と、容器本体から突出するコンクリート供試体の上側を収容する逆カップ状の蓋体とを備えて、容器本体と蓋体とをコンクリート供試体の高さ方向中間部において着脱可能に気密状態に結合させてコンクリート供試体の収容を行うようになされており、かつ、
前記蓋体は、その上部に給水口を備え、該給水口に、これを気密状態に塞ぐキャップが着脱可能に取り付けられているものであることを特徴とするコンクリート供試体の養生容器。
【発明の詳細な説明】
【０００１】
【発明の属する技術分野】
本発明は、コンクリート供試体の養生方法及び養生容器に関する。
【０００２】
【従来の技術】
阪神地域の震災以降、各地で既存建物についての耐震診断が盛んに行われており、そのなかで、鉄筋コンクリート造りの建物については、その建物のコンクリート強度を把握するため、コンクリートコアカッターを用い、建物の壁などから直接コンクリート供試体を採取し、これを試験所に輸送し、そこでその供試体の圧縮強度などを測定することが行われている。
【０００３】
この強度試験を適正に行うには、現場で採取したコンクリート供試体を、採取直後から試験実施までの間、適正な養生状態に保持しておく必要がある。
【０００４】
そのための手段として、採取直後のコンクリート供試体を採取現場においてラップにて密着密閉包装し、その上からなお、ビニール袋で二重に密着密閉包装して封緘養生する方法があるが、この養生方法は、コンクリート供試体を包装する作業が非常に厄介であることから、最近、コンクリート供試体をスッポリと収まらせる養生容器を用い、この養生容器の中にコンクリート供試体を密閉収容して封緘養生する方法が提案されている（特開平８−５００８７号公報）。
【０００５】
【発明が解決しようとする課題】
しかしながら、上記のような養生容器を用いた封緘養生法では、養生容器の気密性が必ずしも十分ではなく、そのため、実際には、コンクリート供試体をラップにて密着密閉包装した上で、これを養生容器に密閉収容するという方法をとらなければ、コンクリート供試体を湿度面において適正な養生状態に保つことができないものであった。
【０００６】
とりわけ、コンクリート供試体の採取から試験実施までに、輸送などによって長期間を要するような場合は、コンクリート供試体を上記のようにラッピングして容器に収容したとしても、良好な養生状態を維持し続けることは難しく、コンクリート供試体が試験前に乾燥を起こしてしまうなどの問題を生じさせることがある。
【０００７】
また、養生条件には、湿度のほか、温度も関係するが、上記のような封緘養生法では、容器内のコンクリート供試体が、外気の温度変化による影響を受けてしまう危険性があった。
【０００８】
更に、採取現場から試験所への輸送中に、振動などにより、容器内のコンクリート供試体に亀裂や欠けなどの欠陥を生じることがあり、耐衝撃性において必ずしも万全であるとはいえないものであった。
【０００９】
本発明は、上記のような従来の問題点に鑑み、採取したあるいは脱型して製作したコンクリート供試体を、長期にわたって、湿度面及び温度面で良好な養生状態に保つことができ、しかも、輸送などの際の耐衝撃性にも優れ、加えて、コンクリート供試体を作業性良く養生状態にすることができる、コンクリート供試体の養生方法及び養生容器を提供することを課題とする。
【００１０】
【課題を解決するための手段】
上記課題は、コンクリート供試体のサイズよりも幾分大きいサイズで、コンクリート供試体をスッポリと収まらせる容器を用い、
この容器にコンクリート供試体と水とを気密状態に収容することによって、コンクリート供試体を水中配置状態にすることを特徴とするコンクリート供試体の養生方法によって解決される。
【００１１】
この方法では、コンクリート供試体を容器内で水中配置状態にするものであるから、コンクリート供試体は、この水によって、水中養生され、湿度面で長期にわたって良好な養生状態に保つことができる。しかも、水がコンクリート供試体を保温する役割を果たし、外気の温度変化による影響も抑えられて、コンクリート供試体を、温度面においても、良好な養生状態に保つことができる。加えて、この水は、容器内においてコンクリート供試体を衝撃からまもる緩衝材として機能し、輸送などの際の耐衝撃性にも優れる。
【００１２】
また、容器にコンクリート供試体と水を収容するだけで良好な養生状態にすることができ、作業が非常に容易である。
【００１３】
上記の容器としては、コンクリート供試体のサイズよりも幾分大きいサイズで、コンクリート供試体をスッポリと収まらせるコンクリート供試体の養生容器であって、
コンクリート供試体の上部側を上方突出状態にさせて収容するカップ状の容器本体と、容器本体から突出するコンクリート供試体の上側を収容する逆カップ状の蓋体とを備えて、容器本体と蓋体とをコンクリート供試体の高さ方向中間部において着脱可能に気密状態に結合させてコンクリート供試体の収容を行うようになされており、かつ、
前記蓋体は、その上部に給水口を備え、該給水口に、これを気密状態に塞ぐキャップが着脱可能に取り付けられているものであることを特徴とするコンクリート供試体の養生容器を用いるのがよい。
【００１４】
この容器では、容器本体にコンクリート供試体を収容させた状態で、コンクリート供試体が容器本体の上方に突出した状態となるから、強度試験に際して、蓋体を取り外した後の、容器本体からのコンクリート供試体の取出しを容易に行うことができる。
【００１５】
そして、このような取扱い利便性を有しながら、コンクリート供試体の全体を容易に水中配置状態にすることができる。即ち、容器本体にコンクリート供試体を収容して蓋体をはめたのち、蓋体の給水口を通じて内部に水を供給することによって、コンクリート供試体はその全体が水中配置状態となる。
【００１６】
【発明の実施の形態】
次に、本発明の実施形態を図面にもとづいて説明する。
【００１７】
図１及び図２において、１はコンクリート供試体、２は容器である。コンクリート供試体１は、コンクリートコアカッターにて建物構造体から採取した円柱状のコア供試体で、その寸法は、例えば、直径が１０ｃｍ、高さが２０ｃｍに切り取られたものである。
【００１８】
容器２は、例えばプラスチックなどからなり、容器本体３と蓋体４とを備えている。
【００１９】
容器本体３は、円筒状の胴部３ａの下端に底部３ｂを備えたカップ状のものである。その高さ寸法は、コンクリート供試体１の長さよりも短く設計されており、コンクリート供試体１をこの容器本体３に収容した状態で、コンクリート供試体１の上半部が容器本体３の上方に突出されるようになされている。また、容器本体３の胴部３ａの内径は、コンクリート供試体１の外径よりも幾分大きく設計されていて、コンクリート供試体１がこの胴部３ａ内にスッポリと嵌まり込むような寸法に設計されている。そして、容器本体３の上端外周部には、蓋体４を螺合させて結合させるためのネジ３ｃが形成されている。
【００２０】
蓋体４は、円筒状胴部４ａを有する逆カップ状のもので、この胴部４ａにて、容器本体３の上端から上方に突出するコンクリート供試体１の上半部部分をスッポリと収容するようになされている。そして、蓋体４の下端部には、容器本体３の上端部外周側に嵌合される結合環部４ｂが一体に連設されており、この結合環部４ｂの内周に形成されているネジ４ｃを、容器本体３の上端外周のネジ３ｃと螺合させることにより、蓋体４と容器本体３とが一体化状態に結合されるようになされている。
【００２１】
更に、この蓋体４には、その天面に、給水口５が備えられており、この給水口５には、これを気密状態に塞ぐキャップ６が着脱可能に螺嵌されるようになされている。
【００２２】
採取したコンクリート供試体１は、上記の容器２を用いて、現場にて次のようにして養生状態にされる。即ち、図３（イ）に示すように、容器本体３に所定量の水Ｗを入れる。容器本体３には、その胴部３ａの内周面に水Ｗの量を指定する指定線を設けておくとよい。次いで、図３（ロ）に示すように、高さ方向の中間部外周にゴムなどによるシールリング７を取り付けたコンクリート供試体１を、この容器本体３の底まで差し込む。これにより、容器本体３の中の水は、コンクリート供試体１の体積によって、その水位を上昇させ、容器本体３の上端部から外方に溢れ出し、容器本体３内は、コンクリート供試体１と水Ｗとで充満される。次いで、シールリング７を容器本体３の上端面にセットした状態で、蓋体４を容器本体３に螺嵌し、容器本体３と蓋体４とを、シールリング７を挟み込むようにして気密状態に結合させ、図３（ハ）に示すように、蓋体４の上端の給水口５を通じて、内部に水Ｗを注ぎ込む。これにより、蓋体４の内部も、コンクリート供試体１と水Ｗとで充満され、コンクリート供試体１は容器２内において水中配置状態となる。しかる後、図３（ニ）に示すように、給水口５にキャップ６を螺嵌し、容器２の内部を気密状態にする。
【００２３】
こうして養生状態におかれたコンクリート供試体１は、容器２内の水Ｗによって、水中養生され、湿度面で、長期にわたって良好な養生状態に保たれる。従ってまた、上記の作業において、コンクリート供試体１をラップにて包装する作業を行う必要はない。また、水Ｗがコンクリート供試体１を保温する役割を果たし、外気の温度変化による影響を抑制的に遮断して、コンクリート供試体１を温度面においても良好な養生状態に保つことができる。更に、現場で採取したこのコンクリート供試体１を試験所に輸送する場合も、容器２内の水Ｗがコンクリート供試体１を衝撃からまもる緩衝材として働き、輸送中の振動や衝撃によってコンクリート供試体１に亀裂や欠けなどの欠陥が発生するのを有効的に防ぐことができる。
【００２４】
また、コンクリートコアカッターを用いてコンクリート供試体１を構造体から直接切り出して採取するような場合は、採取の際の摩擦熱によって供試体１がかなりの高温になり、これが、コンクリート供試体内部の水分を蒸発等させて、圧縮強度等を不本意に低下させてしまう原因となりうるが、上記のように、採取後、コンクリート供試体１を容器２内に水中配置状態にする手法を採用することによって、供試体の温度を速やかに下げて、摩擦熱による水分の蒸発を防ぐことができ、これにより、強度試験において信頼性の高い試験データを得ることができる。
【００２５】
強度試験においては、蓋体４を取り外すと、コンクリート供試体１は、その上半部が容器本体３から突出した状態となっていて、試験スタッフは、コンクリート供試体１を容器本体３から容易に取り出すことができる。
【００２６】
以上に本発明の実施形態を示したが、本発明はこれに限られるものではなく、発明思想を逸脱しない範囲で、各種の変更を行うことが可能である。例えば、本発明方法の実施形態に用いる容器として、図４に示すように、コンクリート供試体１の高さ方向の全体を収容する容器本体３の上端を蓋体４にて塞ぐ式の容器２が用いられてもよい。この容器２では、容器本体３の上端開口部を給水口として中に水Ｗを供給することができ、容器２を部品点数の少ない簡素な構造にすることができる。また、容器は、その内側に、必要に応じて箔を施し、容器の熱伝導率を下げるような工夫がなされていてもよい。更に、本実施形態では、建物構造体から採取したコア供試体を対象としているが、生コンクリートを型枠に流し込んで、乾燥固化し、脱型して製作した通常のコンクリート供試体を対象としてもよい。また、コンクリート供試体の形状は、円柱状に限られるものではなく、直方体状のものなどであってもよく、容器も、それに応じた形状に製作されていてよい。
【００２７】
【発明の効果】
上述の次第で、本発明のコンクリート供試体の養生方法は、コンクリート供試体のサイズよりも幾分大きいサイズで、コンクリート供試体をスッポリと収まらせる容器を用い、この容器にコンクリート供試体と水とを気密状態に収容することによって、コンクリート供試体を水中配置状態にするものであるから、採取したあるいは脱型して製作したコンクリート供試体を、長期にわたって、湿度面及び温度面で良好な養生状態に保つことができ、しかも、輸送などの際の耐衝撃性にも優れる。これにより、強度試験において信頼性の高い試験データを得ることができる。しかも、容器に、コンクリート供試体と水を収容するだけで良好な養生状態にすることができ、作業を容易に行うことができる。
【００２８】
また、本発明のコンクリート供試体の養生容器は、上記のような構成を有するものであるから、強度試験に際して、蓋体を取り外した後の、容器本体からのコンクリート供試体の取出しを容易に行うことができ、しかも、コンクリート供試体の全体を容易に水中配置状態にすることができる。
【図面の簡単な説明】
【図１】実施形態を示すもので、コンクリート供試体を容器内に水中配置状態に収容した状態を示す縦断面図である。
【図２】コンクリート供試体と容器を分離状態にして示す斜視図である。
【図３】図（イ）〜図（ニ）はコンクリート供試体を容器に収容する手順を順次に示す一部断面側面図である。
【図４】容器の変更例を示す縦断面図である。
【符号の説明】
１…コンクリート供試体
２…容器
３…容器本体
４…蓋体
５…給水口
６…キャップ
Ｗ…水
【図１】
0004145396.tif 000002
【図２】
0004145396.tif 000003
【図３】
0004145396.tif 000004
【図４】
0004145396.tif 000005